(57)【要約】【課題】  本発明は、おむつ交換などの体位変換によってベット上の両サイドに固定されている転落防止用の鉄製パイプの柵に身体の一部を強打することによる衝撃や苦痛、並びに障害を防止するために研究開発されたものであって、安価かつ簡略な構造と形状でありながら簡単、容易にパイプ柵に取り付けが可能とすることを特徴とする新規で斬新な障害防止用マットを提供することができる。【解決手段】  本発明の目的は、ベットの両サイドに固定されている転落防止柵に装着する器具であって、被介護者が体位変換などによって受ける身体的な障害の防止と、その衝撃を和らげることを特徴とすることで障害防止用マットを構成している。【選択図】  図１
2008272280.tif 000002
【特許請求の範囲】
【請求項１】
ベットの両サイドに固定されている転落防止柵に装着する器具であって、体位変換などによって受ける身体的な障害の防止と保護、並びに衝撃を和らげることを特徴とする障害防止用マット。
【請求項２】
ベットの両サイドに固定されている転落防止柵に装着する器具であって、それを分割加減して使用することを可能とする請求項１記載の障害防止用マット。
【請求項３】
ベットの両サイドに固定されている転落防止柵に装着する器具であって、その組み合わせによって空気穴を作成して柵内の温度管理を可能とすることを特徴とする請求項１記載の障害防止用マット。
【発明の詳細な説明】
【技術分野】
【０００１】
本発明は、主として障害者用のベットを使用する障害者の身体の危険を防止することと、その保護することを目的とする新規で斬新な障害防止用マットに関するものである。
【背景技術】
【０００２】
近年、国内でも高齢者人口の増加に伴って福祉に対する関心と理解が高まってきているのは事実であるが、その実状と技術的な問題は福祉の先進国と比較するとまだ決して目覚ましい状況であるとは言えない。その背景にあるものはそれぞれの様々な福祉事情によるものが大ではあることは理解できるが、人間としての生きる尊厳をいかに意識して諸問題に対処するかが福祉国家を支えるための、または発展させてその役割を果たすための不可欠な要素であり、早急に国民が一丸となって取り組まなければならない重要な課題であることを認識すべきである。
【０００３】
我が国は世界の中でも長寿国であることは説明するには及ばない。当然の結果として長生きが予想されるが、たとえ現代医療の進歩が目覚ましいとはいえ、すべての老人が何の障害もなく健康的に老いるという保証はない。また、障害を持って介護を余儀なくされるのは老人のみとは限らない。若い年代層が予期しない事故や災害、また病気などで身体の自由を容赦なく奪われて悲痛に涙する人も決して少なくない。社会復帰を目指してリハビリなどの訓練に専念した結果、多少の障害が残ったとしても自立できる人は幸運であるが、その反面、望みを絶たれて介護者に身を委ねる最悪のケースも非常に多く、ベットと車椅子の生活を余儀なくされるのが現状の姿である。
【０００４】
現在の介護の状況は次のように大きく二つに分けられる。被介護者の親族が介護者となる在宅での介護。また、被介護者が病院や福祉施設に入所してそれらのスタッフによって介護を提供される場合である。いずれにしても、それらの人々の生活を支えるのが福祉であることに相違はないが、特に後者で述べたように施設での現況は厳しい。その中で最も注目したいのが介護者と被介護者のバランスの問題にある。ほとんどの介護施設は十分なスタッフの数で運営されている訳ではなく、手不足によって生ずる被介護者へのケアサービスが十分であるとはいえない。例えば、被介護者がおむつの交換を希望したとしても、施設側はそれを迅速に行うだけの体勢になく、待ち時間が長くなって被介護者に不快な感じを与えるのが常である。だが、その程度なら事故にまで繋がるケースは少ないが、
スタッフの限られた時間内でのケアとその作業は些細なことから取り返しのつかない事故や怪我を発生させる場合も決して少なくはない。
【０００５】
介護を必要とする被介護者に対する身体的ケアには様々なことが想定されるが、最も基本的な作業としては排泄行為によるおむつの交換があげられる。その場所のほとんどがベット上であることは現状の姿であるが、器具の不備などによって事故や怪我に至る大きな問題点が隠れていることも皆無とはいえない。
【０００６】
最近の福祉用具は日々のたゆまぬ努力で無駄を省いて使い易く、衛生的であることは評価に値することである。障害者用のベットも例外ではなく、開発された素材と斬新で高度な機能とが組み合わせることにより、介護者が腰痛などから解放されて効率的に短時間で被介護者のおむつ交換ができるようになったのは画期的な進歩である。しかし、交換作業を行うのはあくまで人的労力によることを
認識しなければならない。ベットの両サイドにむき出しで固定されている鉄製パイプの柵は、被介護者の転落防止用としての効果を果たしていることは疑いもないが、その一方、おむつ交換時には甚だしく障害物となるのは事実であり、たとえ僅かな時間でも施設のスタッフがそれらの柵を抜いて作業を進めるだけの時間的余裕がないとすれば器具の改善を熟慮しなければならない。
【０００７】
おむつの交換は介護者によって行われるのが常であるが、それによって被介護者は自分の身体を幾度となく左右に変換しなければならない。ただし、その行為は自らの意志と力で行うものではなく、介護者の労力と判断によって成されることを注目すべきである。いわば被介護者の意志とは関係なく行われることを最も認識しなければならない。その結果、体位変換時に介護者の勢いが余って被介護者の身体の一部が鉄パイプの柵に強打することも想定内のことであろう。その衝撃と苦痛の程度は様々であるが怪我の状況は軽度とは限らない。ときにはアザとなって身体に残ることも十分に考えられることを再認識すべきである。
【０００８】
福祉とは弱者を守ることであることに反論する人はいるだろうか。。ケアサービスを提供する側も時間や効率など様々な問題点を考慮して激務をこなしていることは理解できる。しかし、それは施設側の問題であり、それなりの代償を払っている被介護者側としては関係のないことである。だが、我が国の介護事情を叱咤しても事は解決しない。最低限の要求としては、いかなる場合も被介護者の安全対策を優先させることに徹してほしい。それを切実に願うものである。
【発明の開示】
【発明が解決しようとする課題】
【０００９】
本発明は以上のような従来の欠点に鑑み、被介護者がおむつの交換時に体位変換によってベット上の両サイドに固定されている転落防止用の鉄製パイプの柵に身体の一部を強打することによる衝撃や苦痛、並びに障害を防止するために、鉄製パイプ柵に簡単かつ容易に取り付けることが可能な安価で衛生的な障害防止用マットを提供することを目的としている。
【課題を解決するための手段】
【００１０】
上記目的を達成するための請求項１記載の発明は、ベットの両サイドに固定されている転落防止柵に装着する器具であって、被介護者が体位変換などによって受ける身体的な障害の防止と、その衝撃を和らげることを特徴とすることで障害防止用マットを構成している。
【００１１】
上記目的を達成するための請求項２記載の発明は、ベットの両サイドに固定されている転落防止柵に装着する器具であって、それを分割したり加減したりして使用することを特徴とすることで障害防止用マットを構成している。
【００１２】
上記目的を達成するための請求項３記載の発明は、ベットの両サイドに固定されている転落防止柵に装着する器具であって、その組み合わせによって空気穴を作成して柵内の周囲の温度管理を可能とすることを特徴とすることで障害防止用マットを構成している。
【発明の効果】
【００１３】
以上の説明から明らかなように本発明にあっては次に列挙する効果が得られる。
（１）請求項１記載の障害防止用マットは、ベットの両サイドに固定されている転落防止柵に装着する器具であって、体位変換などによって受ける身体的な障害の防止とその衝撃を和らげることを特徴としている。
【００１４】
（２）請求項２記載の障害防止用マットは、ベットの両サイドに固定されている転落防止柵に装着する器具であって、体位変換などによって受ける身体的な障害の防止とその衝撃を和らげ、それを任意な位置に並べて数を増やしたり、減らしたりすることを簡単に装着することを可能とする。その効果としては不必要な箇所を省いて障害になりやすい部位を集中的に保護することがねらいであり、いつでも適意にその位置を変更できることを特徴としている。
【００１５】
（３）請求項３記載の障害防止用マットは、ベットの両サイドに固定されている転落防止柵に装着する器具であって、体位変換などによって受ける身体的な障害の防止とその衝撃を和らげ、それを自在に組み合わせることによって空気穴を作成して柵内の温度の管理を可能とすることを特徴としている。
【発明を実施するための最良の形態】
【００１６】
以下、本発明をより詳細に記述するために、実施の形態を図に基づいて説明する。図１は本発明である障害防止用マットの正面からの使用図、図２は障害防止用マットの平面からの使用図、図３は本発明の障害防止用マット全体の詳細図を示す。また、ａは本体ＭとＡに示す鉄製パイプの転落防止用柵とを固定する紐状の素材。ＢはＡに示す鉄製パイプの転落防止用柵に固定された障害防止用マット間の空気穴を示す。
【００１７】
前記の障害防止用マットを構成するＭの素材は何よりも弾力性に富んでいることが不可欠であり、次の条件として衝撃を吸収して和らげることが挙げられる。一般的にはウレタンやスポンジ、また低反発性の素材などが考えられるが、衝撃や障害の程度を観察しながらのテストを繰り返した結果、昔ながらの布団の素材である綿が望ましいと考えられる。また、それらの吸収材を覆う素材としては容易に洗濯をして衛生的に保つことを可能とすることが重要であり、キルトなどのクッション性と耐久性に富んだ素材が適当である。
【００１８】
図３に示す障害防止用マット本体であるＭの詳細図より、図１に示したような状況を仮定すればＣの長さは５０ｃｍから５２ｃｍ前後が適当であり、ｄに示す高さはＡに示す鉄製パイプの転落防止用柵の高さの寸法より若干長めの３３ｃｍから３５ｃｍ程度が効果的である。また、ｅに示すマット本体の厚みは内部に詰め込む綿の量にも影響するが、およそ４ｃｍから６ｃｍ程度が衝撃を吸収して和らげるためには望ましい数値であると考えられる。
【００１９】
また、上記で説明した障害防止用マットを図１のＡに示す鉄製パイプの転落防止用柵に固定する場合、マット本体を図２のｂで示すように固定するには、ピンや大型のクリップなど様々の方法が考えられるが、マット本体を安定させることを目的とするとマジックテープなどを使用することが簡単かつ適当である。また、マット本体が下部にずれ落ちることの防止策としてはマットと同素材で当てを作成して柵の上部を包む方法などがあるが、ａに示すＭの上部に固定した紐などの素材によって、Ａに示す鉄製パイプの転落防止用柵の上部を縛ることによってそれを簡単に解決することができるのも一案である。
【００２０】
上述の発明の効果でも述べたように、図２で示す障害防止用マットを任意に組み合わせて使用することによってＢに示す空気穴を形成してベット上の温度を管理することが可能であり、Ａに示す鉄製パイプの転落防止用柵に固定する障害防止用マットであるＭの数を加減することによって容易に目的を達成できるものである。また、空気穴が必要でない場合にはＭで示す障害防止用マットをｂで示すマジックテープなどの固定材によって長めに繋いでＡに示す鉄製パイプの転落防止用柵の全域をカバーすることも可能であるが、できることなら空気穴を塞いでしまうことはベット上の温度調節に影響することであり望ましくないと考える。
【００２１】
鉄製パイプの転落防止用柵に固定される障害防止用マットは、強制的に行われるおむつ交換などの体位変換による障害を防止して衝撃を和らげるために装着することは上述の説明によって明らかであるが、それによって全ての危機から守ることを約束するものではない。あくまで被介護者の身体を守る補助用具として使用されるのが望ましく、基本的には介護者の行為が事故を未然に防ぐことは説明するまでもないことである。
【図面の簡単な説明】
【００２２】
【図１】本発明を実施するための最良の形態の使用状態の正面図である。
【図２】本発明を実施するための最良の形態の使用前状態の平面図である。
【図３】本発明を実施するための障害防止用マット本体の詳細図である。
【符号の説明】
【００２３】
Ｍ  障害防止用マット
Ａ  鉄製パイプの転落防止用柵
Ｂ  障害防止用マット装着時の空気穴
ａ  鉄製パイプの転落防止用柵に結ぶ紐
ｂ  マジックテープ
ｃ  障害防止用マットの長さ
ｄ  障害防止用マットの高さ
ｅ  障害防止用マットの厚み
【図１】
2008272280.tif 000003
【図２】
2008272280.tif 000004
【図３】
2008272280.tif 000005